(57)【要約】【課題】  アクティブケーブルとして構成されたコネクタ付きケーブルにおいて、出力同士が接続される誤接続状態を検出する。【解決手段】  第１および第２接続回路は、複数の信号線を介して互いに信号を伝送し、第１および第２接続回路のうちの一方の接続回路は、複数の信号線のうち、第１コネクタが第１インタフェースに接続され、第２コネクタが第２インタフェースに接続されている場合に両端が終端される信号線上の信号の有無を検出する信号検出回路と、信号検出回路の検出結果に基づいて、第１および第２コネクタの少なくとも一方側が第１および第２インタフェース以外の第３インタフェースに接続されている誤接続状態を検出する誤接続検出回路と、を有する。【選択図】  図１
2014082681.tif 000002
【特許請求の範囲】
【請求項１】
ハウジング内に第１の接続回路を収納し、第１のインタフェースに接続される第１のコネクタと、
ハウジング内に第２の接続回路を収納し、第２のインタフェースに接続される第２のコネクタと、
信号を伝送する複数の信号線を有する伝送ケーブルと、
を備え、前記伝送ケーブルの両端に前記第１および第２のコネクタがそれぞれ設けられたコネクタ付きケーブルであって、
前記第１および第２の接続回路は、前記複数の信号線を介して互いに信号を伝送し、
前記第１および第２の接続回路のうちの一方の接続回路は、
前記複数の信号線のうち、前記第１のコネクタが前記第１のインタフェースに接続され、前記第２のコネクタが前記第２のインタフェースに接続されている場合に両端が終端される信号線上の信号の有無を検出する信号検出回路と、
前記信号検出回路の検出結果に基づいて、前記第１および第２のコネクタの少なくとも一方側が前記第１および第２のインタフェース以外の第３のインタフェースに接続されている誤接続状態を検出する誤接続検出回路と、
を有することを特徴とするコネクタ付きケーブル。
【請求項２】
請求項１に記載のコネクタ付きケーブルであって、
前記複数の信号線のそれぞれは、差動信号を伝送する差動信号線であり、
前記信号検出回路は、差動信号をシングルエンド信号に変換するコンパレータを含み、前記コンパレータの出力レベルに基づいて前記信号の有無を検出することを特徴とするコネクタ付きケーブル。
【請求項３】
請求項１または請求項２に記載のコネクタ付きケーブルであって、
前記第１の接続回路は、前記第１のコネクタの端子を介して前記第１のインタフェースから入力されるパラレル信号をシリアル信号に変換するパラレル／シリアル変換回路を有し、
前記第２の接続回路は、前記複数の信号線を介して伝送された前記シリアル信号をパラレル信号に変換して、前記第２のコネクタの端子を介して前記第２のインタフェースに出力するシリアル／パラレル変換回路を有することを特徴とするコネクタ付きケーブル。
【請求項４】
請求項３に記載のコネクタ付きケーブルであって、
前記伝送ケーブルは、前記信号線として、光信号を伝送する光ファイバを有し、
前記第１の接続回路は、電気信号である前記シリアル信号を光信号に変換する電気／光変換回路をさらに有し、
前記第２の接続回路は、光信号である前記シリアル信号を電気信号に変換する光／電気変換回路をさらに有することを特徴とするコネクタ付きケーブル。
【請求項５】
請求項３または請求項４に記載のコネクタ付きケーブルであって、
前記パラレル／シリアル変換回路は、カメラリンク規格の映像信号を前記シリアル信号に変換し、
前記シリアル／パラレル変換回路は、前記シリアル信号をカメラリンク規格の映像信号に変換することを特徴とするコネクタ付きケーブル。
【請求項６】
請求項３ないし請求項５の何れかに記載のコネクタ付きケーブルであって、
前記シリアル／パラレル変換回路は、前記誤接続検出回路が前記誤接続状態を検出した場合にパラレル信号の出力を停止することを特徴とするコネクタ付きケーブル。
【請求項７】
請求項１ないし請求項６の何れかに記載のコネクタ付きケーブルであって、
前記誤接続検出回路が前記誤接続状態を検出した場合に警報を発する警報手段をさらに備えることを特徴とするコネクタ付きケーブル。
【請求項８】
第１の接続回路をハウジング内に収納し、第１のインタフェースに接続される第１のコネクタと、
第２の接続回路をハウジング内に収納し、第２のインタフェースに接続される第２のコネクタと、
前記第１の接続回路と前記第２の接続回路との間で互いに信号を伝送する複数の信号線を有する伝送ケーブルと、
を備え、前記伝送ケーブルの両端に前記第１および第２のコネクタがそれぞれ設けられたコネクタ付きケーブルにおいて、前記第１および第２のコネクタの少なくとも一方側が前記第１および第２のインタフェース以外の第３のインタフェースに接続されている誤接続状態を検出する誤接続検出方法であって、
前記複数の信号線のうち、前記第１のコネクタが前記第１のインタフェースに接続され、前記第２のコネクタが前記第２のインタフェースに接続されている場合に両端が終端される信号線上の信号の有無を検出し、
当該検出結果に基づいて前記誤接続状態を検出することを特徴とするコネクタ付きケーブルの誤接続検出方法。
【請求項９】
請求項８に記載のコネクタ付きケーブルの誤接続検出方法であって、
前記第１の接続回路は、前記第１のコネクタの端子を介して前記第１のインタフェースから入力されるパラレル信号であるカメラリンク規格の映像信号をシリアル信号に変換するパラレル／シリアル変換回路を有し、
前記第２の接続回路は、前記複数の信号線を介して伝送された前記シリアル信号をパラレル信号であるカメラリンク規格の映像信号に変換して、前記第２のコネクタの端子を介して前記第２のインタフェースに出力するシリアル／パラレル変換回路を有することを特徴とするコネクタ付きケーブルの誤接続検出方法。
【発明の詳細な説明】
【技術分野】
【０００１】
本発明は、コネクタ付きケーブルおよびコネクタ付きケーブルの誤接続検出方法に関する。
【背景技術】
【０００２】
カメラと処理装置間の信号を伝送する方式として、カメラリンク（Camera Link）規格に定められたカメラリンクインタフェースが知られている（非特許文献１を参照）。当該伝送方式では、ＬＶＤＳ（Low Voltage Differential Signaling）方式の１１対（２２本）の信号線（差動線）と複数のシールド線とを１本の伝送ケーブルに収納したカメラリンクケーブルが用いられる。また、１１対の差動信号は、カメラから出力される４対の映像信号（Ｘ０〜Ｘ３）、当該映像信号用の１対のクロック信号（ＸＣＬＫ）、処理装置から出力される４対のカメラ制御信号（ＣＣ１〜ＣＣ４）、およびカメラ−処理装置間の２対のシリアル通信信号（ＳｅｒＴＣ，ＳｅｒＴＦＧ）からなる。
【０００３】
ここで、カメラリンクインタフェースの構成例を図４および図５に示す。  
図４の構成は、カメラリンク規格においてBase Configurationとして定められ、カメラリンクケーブル５ａを用いて、２８ビットの映像データを各７ビットの４対のシリアル信号（映像信号Ｘ０〜Ｘ３）として伝送する。当該Base Configuration用のカメラリンクケーブル５ａをＢａｓｅケーブルと称し、Ｂａｓｅケーブル（５ａ）で接続されるカメラおよび処理装置のインタフェースをＢａｓｅインタフェース（７ａ，９ａ）と称することとする。
【０００４】
また、図５の構成は、カメラリンク規格においてFull Configurationとして定められ、Ｂａｓｅケーブル５ａとともにカメラリンクケーブル５ｂを用いて、各２８ビットの３組（８４ビット）の映像データを各７ビットの１２対のシリアル信号（映像信号Ｘ０〜Ｘ３，Ｙ０〜Ｙ３，Ｚ０〜Ｚ３）として伝送する。当該Full Configuration用のカメラリンクケーブル５ｂをＦｕｌｌケーブルと称し、Ｆｕｌｌケーブル（５ｂ）で接続されるカメラおよび処理装置のインタフェースをＦｕｌｌインタフェース（７ｂ，９ｂ）と称することとする。
【０００５】
なお、Ｆｕｌｌケーブル５ｂは、図５に示したように、カメラ−処理装置間で互いに接続されている端子番号（ピン番号）の組み合わせがＢａｓｅケーブル５ａと同じであるため、Ｂａｓｅケーブル５ａの代わりに用いることができる。しかしながら、Ｂａｓｅケーブル５ａは、一般に、周波数が高い映像信号（Ｘ０〜Ｘ３）やクロック信号（ＸＣＬＫ）を伝送する一部の差動線のみがシールドされているため、Ｆｕｌｌケーブル５ｂの代わりに用いることはできない。
【０００６】
さらに、カメラリンク規格においては、Medium Configurationの構成も定められており、２本のＢａｓｅケーブル５ａ（またはＦｕｌｌケーブル５ｂ）を用いて、各２８ビットの２組（５６ビット）の映像データを各７ビットの８対のシリアル信号（映像信号Ｘ０〜Ｘ３，Ｙ０〜Ｙ３）として伝送する。
【０００７】
図４および図５に示したカメラリンクケーブル（５ａ，５ｂ）は、カメラ側コネクタ（５１ａ，５１ｂ）の端子と装置側コネクタ（５２ａ，５２ｂ）の端子との間を、メタル線（シールド線ＳＬおよび差動線ＤＬ）からなる伝送ケーブル（５０ａ，５０ｂ）のみで接続する、パッシブケーブルとして構成されている。一方、コネクタハウジング内に回路（基板）を収納し、映像信号やそれ以外の差動信号に対して処理を行うアクティブケーブルとして構成されたカメラリンクケーブルも知られている（特許文献１および特許文献２を参照）。
【０００８】
ここで、４対の映像信号（シリアル信号）をパラレル信号として取り扱い、１対のシリアル信号に変換して伝送するＢａｓｅケーブルおよびＦｕｌｌケーブルの構成の一例をそれぞれ図６および図７に示す。
【０００９】
図６のＢａｓｅケーブル２ａにおいて、カメラ側コネクタ２１ａのハウジング内には、カメラ側接続回路２１０ａが収納され、装置側コネクタ２２ａのハウジング内には、装置側接続回路２２０ａが収納されている。カメラ側接続回路２１０ａのシリアライザ２１３ａは、ＰＬＬ（Phase Locked Loop：位相ロックループ）を用いて、クロック信号ＸＣＬＫから送信クロックを生成し、当該送信クロックを用いて、４対の映像信号（Ｘ０〜Ｘ３）を１対のシリアル信号に変換して出力する。また、装置側接続回路２２０ａのデシリアライザ２２３ａは、ＰＬＬを用いて、差動線２０１ａを介して伝送されたシリアル信号から受信クロックを再生し、当該受信クロックを用いて、１対のシリアル信号を４対の映像信号（Ｘ０〜Ｘ３）に変換して出力する。
【００１０】
図７のＦｕｌｌケーブル２ｂにおいて、カメラ側コネクタ２１ｂのハウジング内には、カメラ側接続回路２１０ｂが収納され、装置側コネクタ２２ｂのハウジング内には、装置側接続回路２２０ｂが収納されている。Ｆｕｌｌケーブル２ｂでは、カメラ側接続回路２１０ｂは、２個のシリアライザ２１３ｂおよび２１５ｂを備え、装置側接続回路２２０ｂは、２個のデシリアライザ２２３ｂおよび２２５ｂを備えている。そして、シリアライザ２１３ｂおよび２１５ｂは、それぞれ４対の映像信号（Ｙ０〜Ｙ３，Ｚ０〜Ｚ３）を１対のシリアル信号に変換して出力し、デシリアライザ２２３ｂおよび２２５ｂは、それぞれ１対のシリアル信号を４対の映像信号（Ｙ０〜Ｙ３，Ｚ０〜Ｚ３）に変換して出力する。
【００１１】
ここで、４対の映像信号を１対のシリアル信号に変換し、さらに光信号に変換して伝送するＢａｓｅケーブルおよびＦｕｌｌケーブルの構成の一例をそれぞれ図８および図９に示す。
【００１２】
図８のＢａｓｅケーブル３ａでは、カメラ側接続回路３１０ａは、電気／光変換回路３１４ａをさらに備え、装置側接続回路３２０ａは、光／電気変換回路３２４ａをさらに備えている。また、伝送ケーブル３０ａは、シリアル信号を伝送する信号線として、メタル線である差動線に代えて、光信号を伝送する光ファイバ３０１ａを備えている。そして、電気／光変換回路３１４ａは、シリアライザ３１３ａから出力される電気信号であるシリアル信号を光信号に変換して出力し、光／電気変換回路３２４ａは、光ファイバ３０１ａを介して伝送された光信号であるシリアル信号を電気信号に変換して出力する。
【００１３】
図９のＦｕｌｌケーブル３ｂでは、カメラ側接続回路３１０ｂは、２個の電気／光変換回路３１４ｂおよび３１６ｂを備え、装置側接続回路３２０ｂは、２個の光／電気変換回路３２４ｂおよび３２６ｂを備えている。また、伝送ケーブル３０ｂは、２本の光ファイバ３０１ｂおよび３０３ｂを備えている。そして、電気／光変換回路３１４ｂおよび３１６ｂは、それぞれ電気信号であるシリアル信号を光信号に変換して出力し、光／電気変換回路３２４ｂおよび３２６ｂは、それぞれ光信号であるシリアル信号を電気信号に変換して出力する。
【先行技術文献】
【特許文献】
【００１４】
【特許文献１】特開２０１１−４１３１０号公報
【特許文献２】特開２０１２−６０５２２号公報
【非特許文献】
【００１５】
【非特許文献１】Automated Imaging Association (AIA), "CameraLink， Specifications of the Camera Link Interface Standard for Digital Cameras and Frame Grabbers, Version 1.2," January 2007
【発明の概要】
【発明が解決しようとする課題】
【００１６】
前述したように、Ｂａｓｅケーブル５ａは、一部の差動線のみがシールドされているため、Ｆｕｌｌケーブル５ｂの代わりに用いることはできない。そのため、Full Configurationの構成において、図１０の接続形態２のように、ＢａｓｅケーブルとＦｕｌｌケーブルとを取り違えると、Ｂａｓｅケーブルで接続されたカメラおよび処理装置のＦｕｌｌインタフェース間で伝送エラーが発生する場合がある。
【００１７】
また、Full Configurationの構成においては、図１０の接続形態３および接続形態４のように、ＢａｓｅケーブルとＦｕｌｌケーブルとが交差するように接続（クロス接続）される可能性もある。この場合、Ｆｕｌｌインタフェース（カメラ）の出力（ＣＣ１〜ＣＣ４）とＢａｓｅインタフェース（処理装置）の出力（Ｙ０〜Ｙ２，ＹＣＬＫ）とが接続されてしまうため、カメラや処理装置においてこのようなクロス接続を検出し、故障を防止している。しかしながら、カメラや処理装置のインタフェースは、一般に、パッシブケーブル（５ａ，５ｂ）の使用を想定した構成となっているため、アクティブケーブル（２ａ，２ｂ，３ａ，３ｂ）を用いる場合、カメラリンクケーブルにおいて対策を行う必要がある。
【００１８】
ここで、図１０に示した接続形態２におけるＦｕｌｌケーブル２ｂおよびＢａｓｅケーブル２ａの接続状態をそれぞれ図１１および図１２に示す。
【００１９】
図１１において、Ｆｕｌｌケーブル２ｂは、カメラ側コネクタ２１ｂがＢａｓｅインタフェース（カメラ）７ａに誤接続され、装置側コネクタ２２ｂがＢａｓｅインタフェース（処理装置）９ａに誤接続されている。そして、後者の誤接続によって、Ｂａｓｅインタフェース（処理装置）９ａからのカメラ制御信号（ＣＣ１〜ＣＣ４）出力と、装置側接続回路２２０ｂ（デシリアライザ２２５ｂ）からの映像信号（Ｚ１〜Ｚ３）出力およびクロック信号（ＺＣＬＫ）出力とが接続されることとなる。そのため、当該誤接続状態が長時間継続すると、Ｂａｓｅインタフェース（処理装置）９ａや装置側接続回路２２０ｂが故障する可能性がある。一方、前者の誤接続では、出力同士が接続されることはない。また、Ｆｕｌｌケーブル３ｂの誤接続についても同様である。
【００２０】
図１２において、Ｂａｓｅケーブル２ａは、カメラ側コネクタ２１ａがＦｕｌｌインタフェース（カメラ）７ｂに誤接続され、装置側コネクタ２２ａがＦｕｌｌインタフェース（処理装置）９ｂに誤接続されている。そして、いずれの誤接続でも、出力同士が接続されることはない。また、Ｂａｓｅケーブル３ａの誤接続についても同様である。
【００２１】
したがって、図１１に示したような、Ｆｕｌｌケーブルの装置側コネクタとＢａｓｅインタフェース（処理装置）９ａとの誤接続に対して対策を行えばよい。なお、このような誤接続は、図１０に示した接続形態２および接続形態４において発生する。
【課題を解決するための手段】
【００２２】
前述した課題を解決する主たる本発明は、ハウジング内に第１の接続回路を収納し、第１のインタフェースに接続される第１のコネクタと、ハウジング内に第２の接続回路を収納し、第２のインタフェースに接続される第２のコネクタと、信号を伝送する複数の信号線を有する伝送ケーブルと、を備え、前記伝送ケーブルの両端に前記第１および第２のコネクタがそれぞれ設けられたコネクタ付きケーブルであって、前記第１および第２の接続回路は、前記複数の信号線を介して互いに信号を伝送し、前記第１および第２の接続回路のうちの一方の接続回路は、前記複数の信号線のうち、前記第１のコネクタが前記第１のインタフェースに接続され、前記第２のコネクタが前記第２のインタフェースに接続されている場合に両端が終端される信号線上の信号の有無を検出する信号検出回路と、前記信号検出回路の検出結果に基づいて、前記第１および第２のコネクタの少なくとも一方側が前記第１および第２のインタフェース以外の第３のインタフェースに接続されている誤接続状態を検出する誤接続検出回路と、を有することを特徴とするコネクタ付きケーブルである。
【００２３】
本発明の他の特徴については、添付図面及び本明細書の記載により明らかとなる。
【発明の効果】
【００２４】
本発明によれば、アクティブケーブルとして構成されたコネクタ付きケーブルにおいて、出力同士が接続される誤接続状態を検出することができる。
【図面の簡単な説明】
【００２５】
【図１】本発明の一実施形態におけるコネクタ付きケーブル（Ｆｕｌｌケーブル）の構成を示すブロック図である。
【図２】図１に示したコネクタ付きケーブル（Ｆｕｌｌケーブル）の誤接続状態を示すブロック図である。
【図３】図１に示したコネクタ付きケーブル（Ｆｕｌｌケーブル）の誤接続状態を示すブロック図である。
【図４】カメラリンク規格において、一般的なパッシブケーブルを用いたBase Configurationの構成の一例を示すブロック図である。
【図５】カメラリンク規格において、一般的なパッシブケーブルを用いたFull Configurationの構成の一例を示すブロック図である。
【図６】カメラリンク規格の映像信号をシリアル信号に変換して伝送するアクティブケーブルとして構成されたＢａｓｅケーブルの一例を示すブロック図である。
【図７】カメラリンク規格の映像信号をシリアル信号に変換して伝送するアクティブケーブルとして構成されたＦｕｌｌケーブルの一例を示すブロック図である。
【図８】カメラリンク規格の映像信号を光信号に変換して伝送するアクティブケーブルとして構成されたＢａｓｅケーブルの一例を示すブロック図である。
【図９】カメラリンク規格の映像信号を光信号に変換して伝送するアクティブケーブルとして構成されたＦｕｌｌケーブルの一例を示すブロック図である。
【図１０】カメラリンク規格のFull ConfigurationにおけるＢａｓｅケーブルおよびＦｕｌｌケーブルの接続形態を示す図である。
【図１１】図１０に示した接続形態２におけるコネクタ付きケーブル（Ｆｕｌｌケーブル）の接続状態を示すブロック図である。
【図１２】図１０に示した接続形態２におけるコネクタ付きケーブル（Ｂａｓｅケーブル）の接続状態を示すブロック図である。
【発明を実施するための形態】
【００２６】
本明細書および添付図面の記載により、少なくとも以下の事項が明らかとなる。
【００２７】
＝＝＝コネクタ付きケーブルの構成および動作＝＝＝
以下、図１を参照して、本発明の一実施形態におけるコネクタ付きケーブル（Ｆｕｌｌケーブル）の構成および動作について説明する。
【００２８】
図１に示されているＦｕｌｌケーブル１は、伝送ケーブル１０の両端に、ハウジング内にカメラ側接続回路１１０（第１の接続回路）を収納するカメラ側コネクタ１１（第１のコネクタ）、およびハウジング内に装置側接続回路１２０（第２の接続回路）を収納する装置側コネクタ１２（第２のコネクタ）をそれぞれ備えている。
【００２９】
伝送ケーブル１０は、差動信号を伝送する４対（８本）の差動線１０１ないし１０４（差動信号線）と、４本のシールド線ＳＬ（電源線）とからなる。カメラ側接続回路１１０と装置側接続回路１２０とは、差動線１０１ないし１０３を介して互いに信号を伝送する。また、差動線１０４の両端は、それぞれカメラ側コネクタ１１および装置側コネクタ１２の１対の未使用端子（端子番号７，２０）に接続されており、通常これらの未使用端子を介して１００Ωで終端されている。なお、Ｆｕｌｌケーブル１は、ＰｏＣＬ（Power over Camera Link）対応ケーブルであり、装置側コネクタ１２側に供給される１２Ｖの外部電源電圧は、シールド線ＳＬを介して、カメラ側コネクタ１１側に供給される。
【００３０】
カメラ側接続回路１１０は、ＤＣ−ＤＣコンバータ１１１、ＭＣＵ（Micro Control Unit：マイクロコントローラ）１１２、およびシリアライザ１１３、１１４を含んで構成されている。また、ＤＣ−ＤＣコンバータ１１１は、シールド線ＳＬのカメラ側コネクタ１１側の電圧から、ＭＣＵ１１２、およびシリアライザ１１３、１１４の電源電圧ＶＣＣを生成する。
【００３１】
カメラのＦｕｌｌインタフェース７ｂ（第１のインタフェース）からシリアライザ１１３および１１４（パラレル／シリアル変換回路）には、カメラ側コネクタ１１の端子を介して、それぞれ４対の映像信号（Ｙ０〜Ｙ３，Ｚ０〜Ｚ３）および１対のクロック信号（ＹＣＬＫ，ＺＣＬＫ）が入力されている。また、シリアライザ１１３は、ＰＬＬを用いて、クロック信号ＹＣＬＫから送信クロックを生成し、当該送信クロックを用いて、Ｆｕｌｌインタフェース（カメラ）７ｂから順次入力される４対の映像信号Ｙ０ないしＹ３（パラレル信号）を１対のシリアル信号に変換して出力する。一方、シリアライザ１１４は、ＰＬＬを用いて、クロック信号ＺＣＬＫから送信クロックを生成し、当該送信クロックを用いて、Ｆｕｌｌインタフェース（カメラ）７ｂから順次入力される４対の映像信号Ｚ０ないしＺ３（パラレル信号）を１対のシリアル信号に変換して出力する。そして、当該２対のシリアル信号は、それぞれ差動線１０１および１０３を介して、装置側接続回路１２０に伝送される。
【００３２】
装置側接続回路１２０（一方の接続回路）は、ＤＣ−ＤＣコンバータ１２１、ＭＣＵ１２２、デシリアライザ１２３、１２４、コンパレータ１２５、抵抗１２６、およびＬＥＤ（Light Emitting Diode：発光ダイオード）１２７を含んで構成されている。また、ＤＣ−ＤＣコンバータ１２１は、シールド線ＳＬの装置側コネクタ１２側の電圧から、ＭＣＵ１２２、デシリアライザ１２３、１２４、およびコンパレータ１２５の電源電圧ＶＣＣを生成する。
【００３３】
デシリアライザ１２３および１２４（シリアル／パラレル変換回路）には、それぞれ差動線１０１および１０３を介して伝送された２対のシリアル信号が入力されている。また、デシリアライザ１２３は、ＰＬＬを用いて、差動線１０１を介して伝送された１対のシリアル信号から受信クロックを再生し、当該受信クロックを用いて、１対のシリアル信号を４対の映像信号Ｙ０ないしＹ３（パラレル信号）に変換する。一方、デシリアライザ１２４は、ＰＬＬを用いて、差動線１０３を介して伝送された１対のシリアル信号から受信クロックを再生し、当該受信クロックを用いて、１対のシリアル信号を４対の映像信号Ｚ０ないしＺ３（パラレル信号）に変換する。そして、当該８対の映像信号（Ｙ０〜Ｙ３，Ｚ０〜Ｚ３）は、２対のクロック信号（ＹＣＬＫ，ＺＣＬＫ）とともに、装置側コネクタ１２の端子を介して、処理装置のＦｕｌｌインタフェース９ｂ（第２のインタフェース）に出力される。
【００３４】
本実施形態では、コンパレータ１２５およびＭＣＵ１２２が信号検出回路に相当し、ＭＣＵ１２２が誤接続検出回路に相当し、抵抗１２６およびＬＥＤ１２７が警報手段に相当する。
【００３５】
コンパレータ１２５は、差動線１０４上の差動信号をシングルエンド信号Ｒｘに変換してＭＣＵ１２２に入力する。また、ＭＣＵ１２２は、コンパレータ１２５から出力されるシングルエンド信号Ｒｘのレベルに基づいて、差動線１０４上の信号の有無を検出し、当該検出結果に基づいて誤接続状態を検出する。そして、ＭＣＵ１２２は、誤接続状態を検出した場合に、抵抗１２６およびＬＥＤ１２７にＬＥＤ駆動電圧を供給してＬＥＤ１２７を発光させることによって、誤接続状態を検出したことを示すアラーム（警報）を発する。さらに、ＭＣＵ１２２は、デシリアライザ１２３および１２４にロー・レベルのイネーブル信号ＥＮを入力することによって、パラレル信号の出力を停止させる。
【００３６】
なお、カメラ側接続回路１１０のＭＣＵ１１２と装置側接続回路１２０のＭＣＵ１２２とは、差動線１０２を介して通信可能となっている。
【００３７】
例えば、ＭＣＵ１２２には、デシリアライザ１２３および１２４のそれぞれにおける受信クロックの再生が完了したことを示すＬＯＣＫ１信号およびＬＯＣＫ２信号が入力され、当該ＬＯＣＫ１信号およびＬＯＣＫ２信号は、差動線１０２を介してＭＣＵ１１２に伝送される。そして、ＭＣＵ１１２は、ＬＯＣＫ１信号およびＬＯＣＫ２信号に応じてＬＯＣＫ信号をシリアライザ１１３および１１４に入力し、Ｆｕｌｌインタフェース（カメラ）７ｂから入力されるそれぞれ４対の映像信号（Ｙ０〜Ｙ３，Ｚ０〜Ｚ３）のパラレル／シリアル変換を開始させる。
【００３８】
＝＝＝コネクタ付きケーブルの誤接続検出方法＝＝＝
以下、図２および図３を適宜参照して、本実施形態のコネクタ付きケーブル（Ｆｕｌｌケーブル）において、誤接続状態を検出する方法について説明する。
【００３９】
前述したように、映像信号をシリアル信号に変換して伝送するアクティブケーブルとして構成されたカメラリンクケーブルでは、装置側コネクタが処理装置のＢａｓｅインタフェース９ａ（第３のインタフェース）に誤接続された場合にのみ、出力同士が接続され、故障が発生する可能性がある。そのため、本実施形態では、このような誤接続状態のみを検出することができる構成となっている。
【００４０】
図２および図３は、それぞれ図１０の接続形態２および接続形態４におけるＦｕｌｌケーブル１の誤接続状態を示している。図２および図３において、Ｆｕｌｌケーブル１は、カメラ側コネクタ１１の接続先がそれぞれ異なるものの、装置側コネクタ１２がいずれもＢａｓｅインタフェース（処理装置）９ａに接続されている。
【００４１】
ここで、差動線１０４は、図１（正常接続状態）においては、両端（端子番号７，２０）が１００Ωで終端されているのに対して、図２および図３（誤接続状態）においては、Ｂａｓｅインタフェース（処理装置）９ａからシリアル通信信号（ＳｅｒＴＣ）が入力されている。そこで、本実施形態では、当該差動線１０４上の信号の有無に基づいて誤接続状態を検出する。前述したように、本実施形態では、コンパレータ１２５およびＭＣＵ１２２が信号検出回路として機能し、ＭＣＵ１２２が誤接続検出回路として機能し、差動線１０４上の信号の有無を検出し、その検出結果に基づいて誤接続状態を検出する。
【００４２】
以上のように、本実施形態のコネクタ付きケーブルの誤接続検出方法では、正常接続状態においては両端が終端される差動線１０４上の信号の有無を検出して、誤接続状態を検出する。誤接続状態（図２および図３）では、Ｂａｓｅインタフェース（処理装置）９ａから入力されるシリアル通信信号（ＳｅｒＴＣ）が差動線１０４で検出されるため、誤接続状態を検出することができる。また、ＬＥＤ１２７を発光させて、誤接続状態を解消するようユーザに促したり、デシリアライザ１２３および１２４からのパラレル信号の出力を停止させて、Ｂａｓｅインタフェース（処理装置）９ａや装置側接続回路１２０の故障を防止したりすることができる。
【００４３】
＝＝＝コネクタ付きケーブルの他の構成例＝＝＝
上記実施形態では、コネクタ付きケーブル（Ｆｕｌｌケーブル）は、映像信号をシリアル信号に変換して伝送するアクティブケーブルとして構成されているが、これに限定されるものではない。
【００４４】
例えば図９に示したように、光信号を伝送する光ファイバ、電気信号であるシリアル信号を光信号に変換する電気／光変換回路、および光信号であるシリアル信号を電気信号に変換する光／電気変換回路を備え、映像信号を光信号に変換して伝送するアクティブケーブルとして構成されていてもよい。また、上記実施形態の誤接続検出方法は、図５に示したようなパッシブケーブルとして構成されたコネクタ付きケーブル（Ｆｕｌｌケーブル）にも適用することができる。しかしながら、コネクタ間をメタル線からなる伝送ケーブルのみで接続しているパッシブケーブルに当該誤接続検出方法を適用した場合、コストの大幅な上昇を伴うこととなる。
【００４５】
前述したように、コネクタ付きケーブル（１）において、伝送ケーブル１０の両端のコネクタハウジング内にそれぞれ接続回路（１１０，１２０）を収納し、一方の接続回路１２０に、正常接続状態においては両端が終端される差動線１０４上の信号の有無を検出する信号検出回路（１２５，１２２）を設けることによって、当該検出結果に基づいて、出力同士が接続されるような誤接続状態を検出することができる。
【００４６】
また、コンパレータ１２５によって差動線１０４上の差動信号をシングルエンド信号Ｒｘに変換することによって、コンパレータ１２５の出力レベルに基づいて差動線１０４上の差動信号の有無を検出することができる。
【００４７】
また、コネクタ付きケーブル（１）は、パラレルをシリアル信号に変換して伝送するアクティブケーブルとして構成することができる。
【００４８】
また、光信号を伝送する光ファイバ、電気信号であるシリアル信号を光信号に変換する電気／光変換回路、および光信号であるシリアル信号を電気信号に変換する光／電気変換回路を備え、パラレル信号を光信号に変換して伝送するアクティブケーブルとして構成されコネクタ付きケーブルにおいても同様に、正常接続状態において両端が終端される差動線１０４上の信号の有無に基づいて誤接続状態を検出することができる。
【００４９】
また、誤接続状態を検出した場合に、デシリアライザ１２３および１２４からのパラレル信号の出力を停止させることによって、誤接続状態が長時間継続してＢａｓｅインタフェース（処理装置）９ａや装置側接続回路１２０が故障するのを防止することができる。
【００５０】
また、誤接続状態を検出したことを示す警報を発するＬＥＤ１２７などの警報手段を設けることによって、誤接続状態を解消するようユーザに促すことができる。
【００５１】
また、コネクタ付きケーブル（１）において、正常接続状態においては両端が終端される差動線１０４上の信号の有無を検出することによって、当該検出結果に基づいて、出力同士が接続されるような誤接続状態を検出することができる。
【００５２】
また、コネクタ付きケーブル（１）は、カメラリンク規格の映像信号をシリアル信号に変換して伝送するＦｕｌｌケーブルとして構成することができる。
【００５３】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００５４】
２ａ、３ａ、５ａ  Ｂａｓｅケーブル
１、２ｂ、３ｂ、５ｂ  Ｆｕｌｌケーブル
７ａ        Ｂａｓｅインタフェース（カメラ）
７ｂ        Ｆｕｌｌインタフェース（カメラ）
９ａ        Ｂａｓｅインタフェース（処理装置）
９ｂ        Ｆｕｌｌインタフェース（処理装置）
１０、２０ａ、２０ｂ、３０ａ、３０ｂ、５０ａ、５０ｂ  伝送ケーブル
１１、２１ａ、２１ｂ、３１ａ、３１ｂ、５１ａ、５１ｂ  カメラ側コネクタ
１２、２２ａ、２２ｂ、３２ａ、３２ｂ、５２ａ、５２ｂ  装置側コネクタ
１０１〜１０４  差動線
１１０          カメラ側接続回路
１２０          装置側接続回路
１１１、１２１  ＤＣ−ＤＣコンバータ
１１２、１２２  ＭＣＵ（マイクロコントローラ）
１１３、１１４  シリアライザ
１２３、１２４  デシリアライザ
１２５          コンパレータ
１２６          抵抗
１２７          ＬＥＤ（発光ダイオード）
２０１ａ〜２０８ａ、３０２ａ〜３０８ａ  差動線
２０１ｂ〜２０４ｂ、３０２ｂ、３０４ｂ  差動線
３０１ａ、３０１ｂ、３０３ｂ  光ファイバ
２１０ａ、２１０ｂ、３１０ａ、３１０ｂ  カメラ側接続回路
２１１ａ、２１１ｂ、３１１ａ、３１１ｂ  ＤＣ−ＤＣコンバータ
２１２ａ、２１２ｂ、３１２ａ、３１２ｂ  ＭＣＵ（マイクロコントローラ）
２１３ａ、２１３ｂ、２１５ｂ、３１３ａ、３１３ｂ、３１５ｂ  シリアライザ
３１４ａ、３１４ｂ、３１６ｂ  電気／光変換回路
２２０ａ、２２０ｂ、３２０ａ、３２０ｂ  装置側接続回路
２２１ａ、２２１ｂ、３２１ａ、３２１ｂ  ＤＣ−ＤＣコンバータ
２２２ａ、２２２ｂ、３２２ａ、３２２ｂ  ＭＣＵ（マイクロコントローラ）
２２３ａ、２２３ｂ、２２５ｂ、３２３ａ、３２３ｂ、３２５ｂ  デシリアライザ
３２４ａ、３２４ｂ、３２６ｂ  光／電気変換回路
ＳＬ        シールド線
ＤＬ        差動線
【図１】
2014082681.tif 000003
【図２】
2014082681.tif 000004
【図３】
2014082681.tif 000005
【図４】
2014082681.tif 000006
【図５】
2014082681.tif 000007
【図６】
2014082681.tif 000008
【図７】
2014082681.tif 000009
【図８】
2014082681.tif 000010
【図９】
2014082681.tif 000011
【図１０】
2014082681.tif 000012
【図１１】
2014082681.tif 000013
【図１２】
2014082681.tif 000014